(57)【特許請求の範囲】
【請求項１】
バイクダッシュボードカメラ用ファイルバックアップ方法であって、ファイルバックアップ方法はバイクダッシュボードカメラのコントローラによって実行され、コントローラは、バイクダッシュボードカメラの内部記憶装置及び接続ポートに接続され、内部記憶装置は、ビデオファイルを記憶するのに適合しており、ファイルバックアップ方法は、
ビデオ記録機能を実行し、ビデオファイルを内部記憶装置に記憶すること、
接続ポートがポータブル記憶装置に接続されているかどうかを決定すること、
接続ポートがポータブル記憶装置に接続されていることを判断した後に、ポータブル記憶装置の残存記憶容量が内部記憶装置の全記憶容量以上であるか否かを判断すること、
ポータブル記憶装置の残存記憶容量が内部記憶装置の全記憶容量未満であるとき、コントローラは、ポータブル記憶装置の残存記憶容量が次のビデオファイルを記憶するには足りなくなるまで最新のビデオファイルから過去に遡って最も従前のビデオファイルまで時系列に基づいて内部記憶装置からポータブル記憶装置にビデオファイルを一つずつバックアップすること
を特徴とするバイクダッシュボードカメラ用ファイルバックアップ方法。
【請求項２】
ポータブル記憶装置のビデオファイル及び対応する時間に記憶された内部記憶装置のビデオファイルが同じサイズを有するかどうかをチェックすることによって、ポータブル記憶装置に以前に記憶されている各ビデオファイルの完全性を確認すること、
ビデオファイルのファイルサイズが同じでないとき、再度内部記憶装置からポータブル記憶装置に対応するビデオファイルをバックアップすること
を特徴とする請求項１記載のバイクダッシュボードカメラ用ファイルバックアップ方法。
【請求項３】
ビデオファイルは内部記憶装置からポータブル記憶装置にバックアップされ、ビデオファイルは削除されることなく保存されることを特徴とする請求項２記載のバイクダッシュボードカメラ用ファイルバックアップ方法。
【請求項４】
ビデオファイルのバックアップ中に、コントローラは、特定の周波数で光インジケータを点滅することを特徴とする請求項３記載のバイクダッシュボードカメラ用ファイルバックアップ方法。
【請求項５】
バイクがエンジンを止めたとき、コントローラは、現在のビデオファイルの記憶を終了し、その後、電源供給がオフされることを特徴とする請求項１記載のバイクダッシュボードカメラ用ファイルバックアップ方法。
【請求項６】
バイクダッシュボードカメラ用ファイルバックアップ方法であって、ファイルバックアップ方法はバイクダッシュボードカメラのコントローラによって実行され、コントローラは、バイクダッシュボードカメラの内部記憶装置及び接続ポートに接続され、内部記憶装置は、ビデオファイルを記憶するのに適合しており、ファイルバックアップ方法は、
ビデオ記録機能を実行し、ビデオファイルを内部記憶装置に記憶すること、
接続ポートがポータブル記憶装置に接続されているかどうかを決定すること、
接続ポートがポータブル記憶装置に接続された後、ポータブル記憶装置の残存記憶容量は、内部記憶装置の全記憶容量以上であるか否かを判断すること、
ポータブル記憶装置の残存記憶容量が内部記憶装置の全記憶容量以上である場合、最も従前のビデオファイルのバックアップが終了するまで最新のビデオファイルから逆に最も従前のビデオファイルまでビデオファイルを時系列に基づいて一つずつバックアップすること、
ポータブル記憶装置の残存記憶容量が内部記憶装置の全記憶容量未満であるとき、コントローラは、ポータブル記憶装置の残存記憶容量が次のビデオファイルを記憶するには足りなくなるまで最新のビデオファイルから過去に遡って最も従前のビデオファイルまで時系列に基づいて内部記憶装置からポータブル記憶装置にビデオファイルを一つずつバックアップすること
を特徴とするバイクダッシュボードカメラ用ファイルバックアップ方法。
【請求項７】
ポータブル記憶装置のビデオファイル及び対応する時間に記憶された内部記憶装置のビデオファイルが同じサイズを有するかどうかをチェックすることによって、ポータブル記憶装置に以前に記憶されている各ビデオファイルの完全性を確認すること、
ビデオファイルのファイルサイズが同じでないとき、再度内部記憶装置からポータブル記憶装置に対応するビデオファイルをバックアップすること
を特徴とする請求項６記載のバイクダッシュボードカメラ用ファイルバックアップ方法。
【請求項８】
ビデオファイルは内部記憶装置からポータブル記憶装置にバックアップされ、ビデオファイルは削除されることなく保存されることを特徴とする請求項７記載のバイクダッシュボードカメラ用ファイルバックアップ方法。
【請求項９】
ビデオファイルのバックアップ中に、コントローラは、特定の周波数で光インジケータを点滅することを特徴とする請求項８記載のバイクダッシュボードカメラ用ファイルバックアップ方法。
【請求項１０】
バイクがエンジンを止めたとき、コントローラは、現在のビデオファイルの記憶を終了し、その後、電源供給がオフされることを特徴とする請求項６記載のバイクダッシュボードカメラ用ファイルバックアップ方法。
【発明の詳細な説明】
【技術分野】
【０００１】
本発明はファイルバックアップ方法に係り、特にバイクダッシュボードカメラ用ファイルバックアップ方法に関する。
【背景技術】
【０００２】
特許文献１はバイク用ダッシュボードカメラを開示している。ダッシュボードカメラは、ハンドルアッセンブリに取り付けられ、ホスト、レンズ及びバッテリーから構成されている。ダッシュボードは、バイクがエンジンをかけたときに自動的にオンすることができる。
【０００３】
ダッシュボードカメラは一般的になってきた。ダッシュボードカメラの目的は、リアルタイムで道路ビデオを記録してドライブ記録（ドライブレコード）を提供することである。車両事故が発生した場合、道路ビデオは、交通事故の責任を明確化するのに役立つ。過去には、ダッシュボードカメラは、車に適用されている。最近では、バイク用ダッシュボードカメラはますます人気がある。
【０００４】
慣用のバイクダッシュボードカメラはバイクのボディシェルの内部に装備されている。慣用のバイクダッシュボードカメラはカードソケット、ビデオキャプチャ装置（ビデオ捕捉装置）及びコントローラを有する。ビデオキャプチャ装置は、バイク前方の道路ビデオを記録するために使用される。カードソケットは、メモリカードに接続するのに適合している。バイクがエンジンをかけた後、バイクダッシュボードカメラは、対応して起動されて道路ビデオを記録する。コントローラは、道路ビデオをメモリカードに記憶する。
【先行技術文献】
【特許文献】
【０００５】
【特許文献１】ＴＷ  Ｍ４７３５３６  Ｕ
【発明の概要】
【発明が解決しようとする課題】
【０００６】
しかしながら、道路ビデオはメモリカードにのみ記憶される。ユーザーが道路ビデオをバックアップしたい場合、ユーザーは最初にバイクダッシュボードカメラをシャットダウンし、次いでカードソケットからメモリカードを取り出す必要がある。そして、ユーザーはコンピュータに接続されたカードリーダーにメモリカードを挿入する。その後、ユーザーはコンピュータを操作してメモリカードからの道路ビデオをバックアップすることができる。ユーザーがコンピュータによって道路ビデオのバックアップ終了後、ユーザーはメモリカードをバイクダッシュボードカメラのカードソケットに返戻して新しい道路ビデオを記憶することを継続しなければならない。
【０００７】
結論として、ユーザーがメモリカードから道路ビデオをバックアップする手順は、メモリカードをバイクダッシュボードカメラから取り出し、メモリカードをバイクダッシュボードカメラに返戻することを含めて複雑である。しかも、ユーザーがメモリカードをカードソケットに接続することを忘れたり、メモリカードを紛失する場合に、バイクダッシュボードカメラは道路ビデオを記録することができず、これによって使用中にトラブルを引き起こすことになる。
【０００８】
本発明の目的は、バイクダッシュボードカメラ用ファイルバックアップ方法を提供することである。ユーザーはダッシュボードカメラからメモリカードを取り出すことなく、ダッシュボードカメラからのビデオファイルをバックアップすることができる。本発明は、ユーザーに利便性をもたらすものである。
【課題を解決するための手段】
【０００９】
本発明のファイルバックアップ方法は、バイクダッシュボードカメラのコントローラによって実行される。コントローラは、バイクダッシュボードカメラの内部記憶装置及び接続ポートに接続されている。内部記憶装置は、映像ファイルを記憶するのに適合している。この方法は、
ビデオ記録機能を実行し、ビデオファイルを内部記憶装置に記憶すること、
接続ポートがポータブル記憶装置に接続されているかどうかを決定すること、
接続ポートがポータブル記憶装置に接続されるときビデオファイルを内部記憶装置からポータブル記憶装置に自動的にバックアップすること
から構成される。
【００１０】
したがって、ユーザーがビデオファイルをバックアップしたいとき、すべてのユーザーが実行しなければならないことは、ポータブル記憶装置を準備し、ポータブル記憶装置を接続ポートに接続することである。それで、バイクダッシュボードカメラのコントローラは、ビデオファイルを内部記憶装置からポータブル記憶装置に自動的にバックアップする。ビデオファイルをポータブル記録装置にバックアップすることが終了した後、ビデオファイルは、まだ削除されずに内部記憶装置に残っている。
【００１１】
本発明の方法は、ビデオ記録機能を実行する間、ビデオファイルを内部記憶装置に記憶するだけでなく、ポータブル記憶装置が接続ポートに接続されているかぎり、ビデオファイルをバックアップする。単に道路ビデオをメモリカードに記憶する慣用のバイクダッシュボードカメラと比較して、本発明の実用性及び利便性が慣用のものよりもはるかに優れている。
【発明の効果】
【００１２】
本発明のバイクダッシュボードカメラ用ファイルバックアップ方法によれば、ビデオ記録機能を実行する間、ビデオファイルを内部記憶装置に記憶するだけでなく、ポータブル記憶装置が接続ポートに接続されているかぎり、ビデオファイルをバックアップする。単に道路ビデオをメモリカードに記憶する慣用のバイクダッシュボードカメラと比較して、本発明の実用性及び利便性が慣用のものよりもはるかに優れている。
【図面の簡単な説明】
【００１３】
【図１】本発明のバイクダッシュボードカメラの回路ブロック図である。
【図２】バイクのダッシュボードの概略平面図である。
【図３】本発明の方法の第１のフローチャートである。
【図４】本発明の方法の第２のフローチャートである。
【発明を実施するための形態】
【００１４】
以下、本発明のバイクダッシュボードカメラ用ファイルバックアップ方法を実施の形態例について図面を参照して説明する。
【００１５】
バイクダッシュボードカメラは、ハンドルアセンブリ上に又はフロントスポイラーの内部に装備されるのに適合している。図１を参照すると、バイクダッシュボードカメラは、ビデオキャプチャ装置１１、内部記憶装置１２、接続ポート１３、光インジケータ１４及びコントローラ１５とを備えている。コントローラ１５は、第１スイッチＳＷ１を介してバイクのバッテリー１７に電気的に接続されている。コントローラ１５は、バッテリー１７に電気的に接続された第２のスイッチＳＷ２を有している。第１スイッチＳＷ１および第２スイッチＳＷ２の何れか１つがオンされるとき、コントローラ１５はバッテリー１７からの作動電圧を受電でき電源供給される。
【００１６】
ビデオキャプチャ装置１１は、バイク前方の道路ビデオを記録する。接続ポート１３は、バイクの本体に装着することができる。例えば、接続ポート１３は、鍵穴付近に取り付けることができる。接続ポート１３は、防水ＵＳＢ（ユニバーサルシリアルバス）コネクタ、ＳＤ（セキュアデジタル）カードコネクタ又はＣＦ（コンパクトフラッシュ：登録商標）カードコネクタであってもよい。光インジケータ１４は、ビデオ記録状態を示すことを任される。図２を参照すると、光インジケータ１４は、バイクのダッシュボード２０と一体化することができる。コントローラ１５は、ビデオキャプチャ装置１１、内部記憶装置１２、接続ポート１３及び光インジケータ１４に電気的に接続される。コントローラ１５はデジタル信号プロセッサ（ＤＳＰ）とすることができる。内部記憶装置１２は、バイクダッシュボードカメラのビルトイン記録装置若しくはバイクダッシュボードカメラに接続され、かつバイクダッシュボードカメラから取り出すことができるメモリカードとすることができる。
【００１７】
図３を参照すると、バイクがエンジンをかけたとき、第１スイッチＳＷ１、第２スイッチＳＷ２がオンされ、コントローラ１５はバッテリー１７から動作電圧を受け取ることができてブート（立ち上げ）プロセスに入る。コントローラ１５がブートプロセスの実行を終了する前に、コントローラ１５は光インジケータ１４を点滅し、コントローラ１５がブートプロセス（ステップ１０１）にあることをユーザーに示す。すべてのプロセスの準備ができたら、光インジケータ１４は、特定の点灯モード（例えば、連続点灯）で作動されてブートプロセスが実行されていることをユーザーに知らせる。その後、ビデオキャプチャ装置１１が始動して道路ビデオを記録する（ステップ１０２）。コントローラ１５は、ビデオ記録機能を実行してリアルタイムでビデオキャプチャ装置１１からの道路ビデオを受信する。デフォルト持続時間（例えば３分）の期間後に、コントローラ１５は、道路ビデオを独立ビデオファイルとして内部記憶装置１２に記憶する（ステップ１０３）。したがって、内部記憶装置１２は、複数の個別ビデオファイルを有し、それらのビデオファイルが時系列で記憶される。内部記憶装置１２の残存記憶容量が不足している場合、コントローラ１５は、最も以前のビデオファイルを新たなビデオファイルで置き換える。
【００１８】
上述のように、バイクダッシュボードカメラが作動しているとき、コントローラ１５は光インジケータ１４を作動し連続点灯してバイクダッシュボードカメラが道路ビデオを記録していること及びコントローラ１５がビデオファイルを内部記憶装置１２に記憶していることをユーザーに知らせる。さらに、コントローラ１５は、ポータブル記憶装置１６が接続ポートに接続されているかどうかを決定する（ステップ１０４）。ユーザーが内部記憶装置１２からビデオファイルをバックアップしたい場合、ユーザーはポータブル記憶装置１６を接続ポート１３に接続することができ、それでポータブル記憶装置１６は接続ポート１３と通信する。ポータブル記憶装置１６はメモリカード又はポータブルディスクでもよい。言い換えれば、コントローラ１５が接続ポート１３は何にも接続されていないと判断するとき、これはユーザーがポータブル記憶装置１６を接続ポート１３にまだ接続していないことを意味し、コントローラ１５は、ビデオ記録機能を実行して光インジケータ１４を作動して連続点灯させる（ステップ１０５）。コントローラ１５がバイクのイグニッションスイッチ１８はオンされていると判断した場合（ステップ１０６）、コントローラ１５はＳＴＥＰ１０４に戻る。コントローラ１５がバイクのイグニッションスイッチ１８はオフされていると判断した場合、これはバイクがエンジンを止めていることを意味し、第１スイッチＳＷ１がオフされ、コントローラ１５は第２スイッチＳＷ２を作動してしばらくの間オンを維持する。したがって、バイクがエンジンを止めた後、バイクダッシュボードカメラは、依然として、第２スイッチＳＷ２を介してバッテリー１７から動作電圧を受けて、コントローラ１５は、第２スイッチＳＷ２がオフにされる前に、内部記憶装置１２内の存在するビデオファイルの記憶を終了することができる。コントローラ１５が第２スイッチＳＷ２をオフするとき、コントローラ１５は、バッテリー１７からの動作電圧が印加されず、それに応じて電源供給がオフになっている。バイクダッシュボードカメラがバイクで電源供給が突然オフにされるとき内部記憶装置１２を損傷することを防止する。バイクがエンジンを止めた後に、第２スイッチＳＷ２は、しばらくの間、オンが維持されるため、コントローラ１５は、ビデオキャプチャ装置１１によって現在まで記録されているビデオファイルを完全に記憶することができる。
【００１９】
ユーザーが、ステップ１０４において、ポータブル記憶装置１６を接続ポート１３に接続するとき、コントローラ１５は、接続ポート１３が正しくポータブル記憶装置１６に接続されていると判断する。例えば、コントローラ１５は、ポータブル記憶装置１６と内部記憶装置１２との間の記憶形式を区別するアプリケーションを実行する。しかしながら、これに限定されることはない。ポータブル記憶装置１６の記憶フォーマットが内部記憶装置１２の記憶フォーマットと互換性があるとき、接続ポート１３はポータブル記憶装置１６に正しく接続される。ポータブル記憶装置１６と内部記憶装置１２との間の接続が正しい場合、コントローラ１５は、内部記憶装置１２からポータブル記憶装置１６にビデオファイルを自動的にバックアップする（ステップ１０７）。
【００２０】
図４を参照するに、これはコントローラ１５がビデオファイルを内部記憶装置１２からポータブル記憶装置１６にバックアップする工程を示しており、コントローラ１５はポータブル記憶装置１６の残存記憶容量Ｓｏが内部記憶装置１２の全記憶容量Ｓｉ以上であるか否かを最初に判断する（ステップ２０１）。
【００２１】
ポータブル記憶装置１６の残存記憶容量Ｓｏが内部記憶装置１２の全記憶容量Ｓｉ以上であるとき、コントローラ１５は内部記憶装置１２からビデオファイルを時系列に基づいて一つずつコピーし、これは最新のビデオファイルから過去に遡って最も従前のビデオファイルまで、ビデオファイルをポータブル記憶装置１６に記憶することを意味し、一方、ビデオ記録機能は依然として実行される（ステップ２０２）。毎回、コントローラ１５はビデオファイルをバックアップし、コントローラ１５は、内部記憶装置１２において現在バックアップされるべきビデオファイルが最も従前のビデオファイルであるかどうかを決定する。内部記憶装置１２において現在バックアップされるべきビデオファイルが最も従前のビデオファイルであるならば、そのようなビデオファイルは、このファイルバックアッププロセスのための最終的なビデオファイルである（ステップ２０３）。コントローラ１５は内部記憶装置１２からのビデオファイルを単にコピーするので、内部記憶装置１２のビデオファイルは保存されて削除されることはない。
【００２２】
対照的に、現在バックアップされるべきビデオファイルが内部記憶装置１２の最も従前のビデオファイルでないならば、コントローラ１５は前のプロセスに戻ってステップ２０２を実行し、ビデオファイルのバックアップ中に特定の周波数（例えば、２Ｈｚ）で光インジケータ１４を点滅させてユーザーに報知する。したがって、コントローラ１５は、内部記憶装置１２の最も従前のビデオファイルのバックアップを終了するまで、繰り返しステップ２０２及びステップ２０３を実行し、その後、前のプロセスに戻ってステップ１０５を実行する。
【００２３】
ステップ２０２において、ビデオキャプチャ装置１１が道路ビデオを送信しているとき不完全なビデオファイルがバックアップされるならば、ポータブル記憶装置１６に記憶されたビデオファイルが不完全になることがある。したがって、コントローラ１５がステップ２０２を実行する前に、コントローラ１５は、さらに、ポータブル記憶装置１６のビデオファイル及び対応する時間に記憶された内部記憶装置１２のビデオファイルが同じサイズを有するかどうかをチェックすることによって、ポータブル記憶装置１６に以前に記憶されている各ビデオファイルの完全性を確認する（ステップ２０４）。ビデオファイルのファイルサイズが同じでないならば、これはポータブル記憶装置１６のそのようなビデオファイルが不完全であることを意味し、コントローラ１５は、再度、ポータブル記憶装置１６に内部記憶装置１２から対応するビデオファイルをバックアップする。ポータブル記憶装置１６は、現在バックアップされた完全なビデオファイルで不完全なファイルを置き換える。
【００２４】
ステップ２０１において、ポータブル記憶装置１６の残存記憶容量Ｓｏが内部記憶装置１２の全記憶容量Ｓｉ未満であるとき、コントローラ１５はビデオファイルを内部記憶装置１２からポータブル記憶装置１６に時系列に基づいて一つずつバックアップする（ステップ２０５）。コントローラ１５は内部記憶装置１２からのビデオファイルを最新のビデオファイルから過去に遡って最も従前のビデオファイルまでバックアップする。毎回、コントローラ１５が次のビデオファイルをコピーする前に、コントローラ１５は、ポータブル記憶装置１６の残存記憶容量Ｓｏがバックアップされるべき次のビデオファイルのファイルサイズＦＳ以上であるか否かを判断する（ステップ２０６）。コントローラ１５は単に内部記憶装置１２からビデオファイルをコピーするので、このように内部記憶装置１２のビデオファイルが保存されて削除されることはない。
【００２５】
ステップ２０６において、ポータブル記憶装置１６の残存記憶容量Ｓｏが保存されるべき次のビデオファイルのファイルサイズＦＳ以上であるとき、コントローラ１５は前のプロセスに戻ってステップ２０５を実行し、その間に光インジケータ１４をビデオファイルのバックアップ中に特定の周波数（例えば２Ｈｚ）で点滅させてユーザーに知らせる。したがって、コントローラ１５は、ポータブル記憶装置１６の残存記憶容量Ｓｏが次のビデオファイルを保存するのに足りなくなるまでステップ２０５及びステップ２０６を繰り返し実行し、コントローラ１５はビデオバックアッププロセスを終了し、前のプロセスに戻ってステップ１０５を実行する。
【００２６】
同様に、ビデオファイルの完全性を確認するために、コントローラ１５がステップ２０５を実行する前に、コントローラ１５は、さらに、ポータブル記憶装置１６のビデオファイル及び対応する時に記憶された内部記憶装置１２のビデオファイルが同じサイズを有するかどうかをチェックすることによって、ポータブル記憶装置１６に以前に記憶されている各ビデオファイルの完全性を確認する（ステップ２０７）。ビデオファイルのファイルサイズが同じでないならば、コントローラ１５は、再度、内部記憶装置１２からポータブル記憶装置１６に対応するビデオファイルをバックアップする。ポータブル記憶装置１６は不完全なファイルを現在バックアップされた完全なビデオファイルで置き換える。
【００２７】
結論として、ユーザーがビデオファイルをバックアップしたいとき、ユーザーはポータブル記憶装置１６を接続ポート１３に直接挿入することができ、バイクから離してシェル又はカバーを取って内部記憶装置１２を手にすることは不要となる。コントローラ１５は、内部記憶装置１２からポータブル記憶装置１６にデータを自動的にバックアップすることができる。しかも、コントローラ１５は、光インジケータ１４を点滅することができ、それでユーザーはファイルバックアッププロセスが終了したかどうかを知ることができる。コンピュータの操作に熟練していないユーザーにとっても、ユーザーはポータブル記憶装置１６の使用に容易に精通することができ、ビデオファイルをバックアップすることができる。本発明はユーザーに利便性をもたらす。
【００２８】
さらに、本発明のバイクダッシュボードカメラはバイクのボディシェルの内部に装備されるのに適合しており、これによって盗難から高い秘匿性と予防を有することになる。一般に、ユーザーがバイクに乗るとき、ビデオキャプチャ装置１１によって記録されたビデオは、バイクダッシュボードカメラの内部記憶装置１２に記憶される。ポータブル記憶装置１６は接続ポート１３に挿入される必要はない。その結果、ポータブル記憶装置１６及び接続ポート１３は、振動や衝撃に因って接続が損なわれることはない。また、バイクダッシュボードカメラは雨天日にびしょ濡れになることから保護される。
【符号の説明】
【００２９】
１１・・・ビデオキャプチャ装置
１２・・・内部記憶装置
１３・・・接続ポート
１４・・・光インジケータ
１５・・・コントローラ
１６・・・ポータブル記憶装置
１７・・・バッテリー
１８・・・イグニッションスイッチ
２０・・・ダッシュボード
ＳＷ１・・・第１スイッチ
ＳＷ２・・・第２のスイッチ
Ｓｏ・・・残存記憶容量
Ｓｉ・・・全記憶容量
ＦＳ・・・ファイルサイズ
【図１】
0005978272.tif 000002
【図２】
0005978272.tif 000003
【図３】
0005978272.tif 000004
【図４】
0005978272.tif 000005